(57)【要約】【課題】操作性を改善することができるようにする。【解決手段】主制御部２５０は、スケジュール管理部２６６にスケジューラを表示させ、ユーザによる入力に基づいて記憶部２６４に「送信日付」、「送信時刻」、「録音内容」、「あて先の電話番号」などを予め記憶させる。主制御部２５０は、スケジュール管理部２６６の指示に基づいて、操作入力制御部２５２に回線を接続させるとともに、記憶部２６４に記憶されているデータベースに登録されている「あて先の電話番号」に接続を開始し、接続された場合、データベースに登録されている「録音内容」の音声信号を送信し、接続されなかった場合、接続するまで所定の時間毎に接続の試行が繰り返される。これにより、予め記憶された音声信号を指定された送信相手に対し指定日時に自動的に送信でき、操作性を改善することができる。本発明は、携帯電話機に適用できる。【選択図】      図４
2004242100.tif 000002
【特許請求の範囲】
【請求項１】
他の情報処理装置と通信する情報処理装置において、
前記他の情報処理装置に送信するための音声信号と、前記音声信号を送信する送信日時を対応付けて記憶する記憶手段と、
前記記憶手段により記憶された前記送信日時になったとき、前記他の情報処理装置に接続する接続手段と、
前記接続手段により前記他の情報処理装置に接続されたとき、前記記憶手段により記憶された前記音声信号を送信する送信手段と
を備えることを特徴とする情報処理装置。
【請求項２】
前記記憶手段は、前記音声信号と前記送信日時に対応付けて、前記他の情報処理装置に固有の識別番号をさらに記憶し、
前記接続手段は、前記記憶手段により記憶された前記識別番号を有する前記他の情報処理装置に接続する
ことを特徴とする請求項１に記載の情報処理装置。
【請求項３】
前記接続手段は、前記記憶手段により複数の前記識別番号が同じ前記送信日時で記憶されているとき、複数の前記識別番号にそれぞれ対応する前記他の情報処理装置に順次接続する
ことを特徴とする請求項２に記載の情報処理装置。
【請求項４】
前記記憶手段は、予め前記音声信号を記憶する
ことを特徴とする請求項１に記載の情報処理装置。
【請求項５】
前記接続手段は、前記他の情報処理装置に接続できなかったとき、接続できなかった前記他の情報処理装置に接続できるまで、所定の時間ごとに接続処理を繰り返す
ことを特徴とする請求項１に記載の情報処理装置。
【請求項６】
前記記憶手段は、前記音声信号と前記送信日時に対応付けて、前記接続手段による接続結果と接続回数をさらに記憶する
ことを特徴とする請求項１に記載の情報処理装置。
【請求項７】
他の情報処理装置と通信する情報処理装置の情報処理方法において、
前記他の情報処理装置に送信するための音声信号と、前記音声信号を送信する送信日時を対応付けて記憶する記憶ステップと、
前記記憶ステップの処理により記憶された前記送信日時になったとき、前記他の情報処理装置に接続する接続ステップと、
前記接続ステップの処理により前記他の情報処理装置に接続されたとき、前記記憶ステップの処理により記憶された前記音声信号を送信する送信ステップと
を含むことを特徴とする情報処理方法。
【請求項８】
他の情報処理装置と通信する情報処理装置のプログラムであって、
前記他の情報処理装置に送信するための音声信号と、前記音声信号を送信する送信日時を対応付けて記憶する記憶ステップと、
前記記憶ステップの処理により記憶された前記送信日時になったとき、前記他の情報処理装置に接続する接続ステップと、
前記接続ステップの処理により前記他の情報処理装置に接続されたとき、前記記憶ステップの処理により記憶された前記音声信号を送信する送信ステップと
をコンピュータに実行させることを特徴とするプログラム。
【発明の詳細な説明】
【０００１】
【発明の属する技術分野】
本発明は情報処理装置および方法、並びにプログラムに関し、特に、操作性を改善することができるようにした情報処理装置および方法、並びにプログラムに関する。
【０００２】
【従来の技術】
有線通信分野においては、例えば、電子メールなどが情報の伝達手段として一般的に普及しており、特に、固定式電話端末においては留守番電話により、直接相手と通話することなく情報を伝達することができる。これらの情報伝達手段においては、パーソナルコンピュータや電話端末に内蔵されるタイマにより、時刻を指定して情報を送信または受信することが可能である。
【０００３】
例えば、パーソナルコンピュータにおいては、電子メールを送信する際、ユーザが指定した日にメールを送信できる方法も提案されている（例えば、特許文献１参照）。
【０００４】
この提案では、ユーザは、電子メール作成画面からメール送信日時設定画面を選択し、メール送信日時選択画面のスケジューラ機能付きカレンダの日付欄と時刻表を指定することにより容易にメール送信日時を設定することができる。
【０００５】
一方、一般に普及している携帯電話機の分野においても、予め用意された情報を指定された時刻に自動的に送信または受信する方法が提案されている（例えば、特許文献２参照）。
【０００６】
この提案では、ＩＳ−９５ベースのＣＤＭＡ方式の携帯電話機において操作部により送信または受信の開始時刻が指定され、ＧＰＳの時刻データに基づく現在の時刻が指定時刻になると、制御部により、メモリ部のＲＡＭのデータ格納エリアに蓄えられた情報の送信が開始されるか、または、受信が自動的に開始され受信情報がＲＡＭのデータ格納エリアに蓄えられる。
【０００７】
【特許文献１】
特開２００１−７５８９４号公報
【特許文献２】
特開平１１−２８４６８６号公報
【０００８】
【発明が解決しようとする課題】
このように、予め用意されたメールや情報を指定された日時に自動的に送信または受信することができるが、送信するメールや情報はそれを用意するのが比較的容易ではないので、操作性が悪いという課題があった。
【０００９】
本発明はこのような状況に鑑みてなされたものであり、操作性を改善することができるようにすることを目的としている。
【００１０】
【課題を解決するための手段】
本発明の情報処理装置は、他の情報処理装置に送信するための音声信号と、音声信号を送信する送信日時を対応付けて記憶する記憶手段と、記憶手段により記憶された送信日時になったとき、他の情報処理装置に接続する接続手段と、接続手段により他の情報処理装置に接続されたとき、記憶手段により記憶された音声信号を送信する送信手段とを備えることを特徴とする。
【００１１】
記憶手段は、音声信号と送信日時に対応付けて、他の情報処理装置に固有の識別番号をさらに記憶し、接続手段は、記憶手段により記憶された識別番号を有する他の情報処理装置に接続するようにすることができる。
【００１２】
接続手段は、記憶手段により複数の識別番号が同じ送信日時で記憶されているとき、複数の識別番号にそれぞれ対応する他の情報処理装置に順次接続するようにすることができる。
【００１３】
記憶手段は、予め音声信号を記憶するようにすることができる。
【００１４】
接続手段は、他の情報処理装置に接続できなかったとき、接続できなかった他の情報処理装置に接続できるまで、所定の時間ごとに接続処理を繰り返すようにすることができる。
【００１５】
記憶手段は、音声信号と送信日時に対応付けて、接続手段による接続結果と接続回数をさらに記憶するようにすることができる。
【００１６】
本発明の情報処理方法は、他の情報処理装置に送信するための音声信号と、音声信号を送信する送信日時を対応付けて記憶する記憶ステップと、記憶ステップの処理により記憶された送信日時になったとき、他の情報処理装置に接続する接続ステップと、接続ステップの処理により他の情報処理装置に接続されたとき、記憶ステップの処理により記憶された音声信号を送信する送信ステップとを含むことを特徴とする。
【００１７】
本発明のプログラムは、他の情報処理装置に送信するための音声信号と、音声信号を送信する送信日時を対応付けて記憶する記憶ステップと、記憶ステップの処理により記憶された送信日時になったとき、他の情報処理装置に接続する接続ステップと、接続ステップの処理により他の情報処理装置に接続されたとき、記憶ステップの処理により記憶された音声信号を送信する送信ステップとをコンピュータに実行させることを特徴とする。
【００１８】
本発明の情報処理装置および方法、並びにプログラムにおいては、他の情報処理装置に送信するための音声信号と、音声信号を送信する送信日時が対応付けて記憶され、記憶された送信日時になったとき、他の情報処理装置に接続され、他の情報処理装置に接続されたとき、記憶された音声信号が送信される。
【００１９】
【発明の実施の形態】
以下に、図面を参照しながら本発明の実施の形態について説明する。
【００２０】
図１は、本発明を適用したネットワークシステム１の全体の構成を表している。
【００２１】
ネットワークシステム１には、通信サービスの提供エリアを所望の大きさに分割したセル内にそれぞれ固定無線局である基地局ＣＳ１乃至ＣＳ４が設置されている。これらの基地局ＣＳ１乃至ＣＳ４には、移動無線局であるカメラ付ディジタル携帯電話機ＭＳ１乃至ＭＳ４が例えばＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）と呼ばれる符号分割多元接続方式によって無線接続されており、２［ＧＨｚ］の周波数帯域を使用して最大２［Ｍｂｐｓ］のデータ転送速度で大容量データを高速にデータ通信することができる。
【００２２】
このようにカメラ付ディジタル携帯電話機ＭＳ１乃至ＭＳ４は、Ｗ−ＣＤＭＡ方式によって大容量データを高速にデータ通信できることにより、音声通話だけでなく電子メールの送受信、簡易ホームページの閲覧、画像の送受信等の多種に及ぶデータ通信を実行できる。
【００２３】
また基地局ＣＳ１乃至ＣＳ４は、有線回線を介して公衆回線網ＩＮＷに接続されており、公衆回線網ＩＮＷにはインターネットや、多くの加入者有線端末、コンピュータネットワーク及び企業内ネットワーク等（いずれも図示せず）が接続されている。公衆回線網ＩＮＷには、インターネットサービスプロバイダのアクセスサーバ（図示せず）も接続されており、アクセスサーバにはインターネットサービスプロバイダが保有するコンテンツサーバ（図示せず）が接続されている。
【００２４】
なお管理制御装置ＭＣＵは、公衆回線網ＩＮＷを介して加入者有線端末やカメラ付ディジタル携帯電話機ＭＳ１乃至ＭＳ４に接続されており、加入者有線端末やカメラ付ディジタル携帯電話機ＭＳ１乃至ＭＳ４に対する認証処理や種々の課金処理等を行う。
【００２５】
また、カメラ付ディジタル携帯電話機ＭＳ１乃至ＭＳ４は、以下において、それぞれを個々に区別する必要がない場合、カメラ付ディジタル携帯電話機ＭＳと総称し、基地局ＣＳ１乃至ＣＳ４は、以下において、それぞれを個々に区別する必要がない場合、基地局ＣＳと総称する。
【００２６】
図２は、本発明を適用したカメラ付ディジタル携帯電話機ＭＳの外観の構成を表している。
【００２７】
図２に示されるように、カメラ付ディジタル携帯電話機ＭＳは、中央のヒンジ部２１１を境に表示部２１２と本体２１３とに分けられており、ヒンジ部２１１を介して折り畳み可能に形成されている。表示部２１２には、上端左部に送受信用のアンテナ２１４が引出し及び収納可能な状態に取り付けられており、アンテナ２１４を介して基地局ＣＳとの間で電波を送受信する。
【００２８】
また表示部２１２には、上端中央部にほぼ１８０度の角度範囲で回動自在なカメラ部２１５が設けられており、カメラ部２１５のＣＣＤカメラ２１６によって所望の撮像対象を撮像することができる。ここで表示部２１２は、カメラ部２１５がユーザによってほぼ１８０度回動されて位置決めされた場合、図３に示されるように、カメラ部２１５の背面側中央に設けられたスピーカ２１７が正面側に位置することになり、これにより通常の音声通話状態に切り換わる。
【００２９】
さらに表示部２１２には、その正面に液晶ディスプレイ２１８が設けられており、電波の受信状態、電池残量、電話帳として登録されている相手先名や電話番号及び送信履歴等の他、電子メールの内容、簡易ホームページ、カメラ部２１５のＣＣＤカメラ２１６で撮像した画像を表示することができる。
【００３０】
一方、本体２１３には、その表面に「０」乃至「９」の数字キー、発呼キー、リダイヤルキー、終話及び電源キー、クリアキー、および電子メールキー等の操作キー２１９が設けられており、操作キー２１９を用いて各種指示を入力することができる。また本体２１３には、操作キー２１９の下部にメモボタン２２０やマイクロフォン２２１が設けられており、メモボタン２２０によって通話中の相手の音声を録音することができるとともに、マイクロフォン２２１によって通話時のユーザの音声を集音する。
【００３１】
さらに本体２１３には、操作キー２１９の上部に回動自在なジョグダイヤル２２２が本体２１３の表面から僅かに突出した状態で設けられており、ジョグダイヤル２２２に対する回動操作に応じて液晶ディスプレイ２１８に表示されている電話帳リストや電子メールのスクロール動作、簡易ホームページのページ捲り動作及び画像の送り動作等の種々の動作を実行する。
【００３２】
例えば本体２１３は、ユーザによるジョグダイヤル２２２の回動操作に応じて液晶ディスプレイ２１８に表示された電話帳リストの複数の電話番号の中から所望の電話番号が選択され、ジョグダイヤル２２２が本体２１３の内部方向に押圧されると、選択された電話番号を確定して電話番号に対して発呼処理を行う。
【００３３】
なお本体２１３は、背面側に図示しないバッテリパックが挿着されており、終話及び電源キーがオン状態になると、バッテリパックから各回路部に対して電力が供給されて動作可能な状態に起動する。
【００３４】
ところで本体２１３には、本体２１３の左側面上部に抜差自在なメモリスティック（出願人会社の商標）２２３を挿着するためのメモリスティックスロット２２４が設けられており、メモボタン２２０が押下されるとメモリスティック２２３に通話中の相手の音声を記録したり、ユーザの操作に応じて電子メール、簡易ホームページ、ＣＣＤカメラ２１６で撮像した画像を記録することができる。
【００３５】
ここでメモリスティック２２３は、本願出願人であるソニー株式会社によって開発されたフラッシュメモリカードの一種である。このメモリスティック２２３は、縦２１．５×横５０×厚さ２．８［ｍｍ］の小型薄型形状のプラスチックケース内に電気的に書換えや消去が可能な不揮発性メモリであるＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）の一種であるフラッシュメモリ素子を格納したものであり、１０ピン端子を介して画像や音声、音楽等の各種データの書き込み及び読み出しが可能となっている。
【００３６】
またメモリスティック２２３は、大容量化等による内蔵フラッシュメモリの仕様変更に対しても、使用する機器で互換性を確保することができる独自のシリアルプロトコルを採用し、最大書込速度１．５［ＭＢ／Ｓ］、最大読出速度２．４５［ＭＢ／Ｓ］の高速性能を実現していると共に、誤消去防止スイッチを設けて高い信頼性を確保している。
【００３７】
従ってカメラ付ディジタル携帯電話機ＭＳは、このようなメモリスティック２２３を挿着可能に構成されているために、メモリスティック２２３を介して他の電子機器との間でデータの共有化を図ることができる。
【００３８】
図４は、カメラ付ディジタル携帯電話機ＭＳの構成を表している。
【００３９】
図４に示されるように、カメラ付ディジタル携帯電話機ＭＳは、表示部２１２及び本体２１３の各部を統括的に制御する主制御部２５０に対して、電源回路部２５１、操作入力制御部２５２、画像エンコーダ２５３、カメラインタフェース部２５４、ＬＣＤ（Ｌｉｑｕｉｄ  Ｃｒｙｓｔａｌ  Ｄｉｓｐｌａｙ）制御部２５５、多重分離部２５７、変復調回路部２５８、音声コーデック２５９、記憶部２６４、タイマ２６５、およびスケジュール管理部２６６がメインバス２６０を介して互いに接続されるとともに、画像エンコーダ２５３、画像デコーダ２５６、多重分離部２５７、変復調回路部２５８、音声コーデック２５９、および記録再生部２６３が同期バス２６１を介して互いに接続されて構成されている。
【００４０】
電源回路部２５１は、ユーザの操作により終話及び電源キーがオン状態にされると、バッテリパックから各部に対して電力を供給することによりカメラ付ディジタル携帯電話機ＭＳを動作可能な状態に起動する。
【００４１】
カメラ付ディジタル携帯電話機ＭＳは、ＣＰＵ、ＲＯＭ、およびＲＡＭ等でなる主制御部２５０の制御に基づいて、音声通話モード時にマイクロフォン２２１で集音した音声信号を音声コーデック２５９によってディジタル音声信号に変換し、これを変復調回路部２５８でスペクトラム拡散処理し、送受信回路部２６２でディジタルアナログ変換処理及び周波数変換処理を施した後にアンテナ２１４を介して送信する。
【００４２】
またカメラ付ディジタル携帯電話機ＭＳは、音声通話モード時にアンテナ２１４で受信した受信信号を増幅して周波数変換処理及びアナログディジタル変換処理を施し、変復調回路部２５８でスペクトラム逆拡散処理し、音声コーデック２５９によってアナログ音声信号に変換した後、これをスピーカ２１７を介して出力する。
【００４３】
さらにカメラ付ディジタル携帯電話機ＭＳは、データ通信モード時に電子メールを送信する場合、操作キー２１９及びジョグダイヤル２２２の操作によって入力された電子メールのテキストデータを操作入力制御部２５２を介して主制御部２５０に送出する。主制御部２５０は、テキストデータを変復調回路部２５８でスペクトラム拡散処理し、送受信回路部２６２でディジタルアナログ変換処理及び周波数変換処理を施した後にアンテナ２１４を介して基地局ＣＳへ送信する。
【００４４】
これに対してカメラ付ディジタル携帯電話機ＭＳは、データ通信モード時に電子メールを受信する場合、アンテナ２１４を介して基地局ＣＳから受信した受信信号を変復調回路部２５８でスペクトラム逆拡散処理して元のテキストデータを復元した後、ＬＣＤ制御部２５５を介して液晶ディスプレイ２１８に電子メールとして表示する。
【００４５】
その後カメラ付ディジタル携帯電話機ＭＳは、ユーザの操作に応じて受信した電子メールを記録再生部２６３を介してメモリスティック２２３に記録することも可能である。
【００４６】
一方カメラ付ディジタル携帯電話機ＭＳは、データ通信モード時に画像信号を送信する場合、ＣＣＤカメラ２１６で撮像された画像信号をカメラインタフェース部２５４を介して画像エンコーダ２５３に供給する。
【００４７】
因みにカメラ付ディジタル携帯電話機ＭＳは、画像信号を送信しない場合には、ＣＣＤカメラ２１６で撮像した画像信号をカメラインタフェース部２５４及びＬＣＤ制御部２５５を介して液晶ディスプレイ２１８に直接表示することも可能である。
【００４８】
画像エンコーダ２５３は、ＣＣＤカメラ２１６から供給された画像信号を例えばＭＰＥＧ（Ｍｏｖｉｎｇ  Ｐｉｃｔｕｒｅ  Ｅｘｐｅｒｔｓ  Ｇｒｏｕｐ）２やＭＰＥＧ４等の所定の符号化方式によって圧縮符号化することにより符号化画像信号に変換し、これを多重分離部２５７に送出する。このとき同時にカメラ付ディジタル携帯電話機ＭＳは、ＣＣＤカメラ２１６で撮像中にマイクロフォン２２１で集音した音声を音声コーデック２５９を介してディジタルの音声信号として多重分離部２５７に送出する。
【００４９】
多重分離部２５７は、画像エンコーダ２５３から供給された符号化画像信号と音声コーデック２５９から供給された音声信号とを所定の方式で多重化し、その結果得られる多重化信号を変復調回路部２５８でスペクトラム拡散処理し、送受信回路部２６２でディジタルアナログ変換処理及び周波数変換処理を施した後にアンテナ２１４を介して送信する。
【００５０】
これに対してカメラ付ディジタル携帯電話機ＭＳは、データ通信モード時に例えば簡易ホームページ等にリンクされた動画像ファイルのデータを受信する場合、アンテナ２１４を介して基地局ＣＳから受信した受信信号を変復調回路部２５８でスペクトラム逆拡散処理し、その結果得られる多重化信号を多重分離部２５７に送出する。
【００５１】
多重分離部２５７は、多重化信号を分離することにより符号化画像信号と音声信号とに分け、同期バス２６１を介して符号化画像信号を画像デコーダ２５６に供給すると共に音声信号を音声コーデック２５９に供給する。画像デコーダ２５６は、符号化画像信号をＭＰＥＧ２やＭＰＥＧ４等の所定の符号化方式に対応した復号化方式でデコードすることにより再生動画像信号を生成し、これをＬＣＤ制御部２５５を介して液晶ディスプレイ２１８に供給し、これにより、例えば、簡易ホームページにリンクされた動画像ファイルに含まれる動画データが表示される。
【００５２】
このとき同時に音声コーデック２５９は、音声信号をアナログ音声信号に変換した後、これをスピーカ２１７に供給し、これにより、例えば、簡易ホームページにリンクされた動画像ファイルに含まる音声信号が再生される。この場合も電子メールの場合と同様にカメラ付ディジタル携帯電話機ＭＳは、受信した簡易ホームページ等にリンクされたデータをユーザの操作により記録再生部２６３を介してメモリスティック２２３に記録することが可能である。
【００５３】
記憶部２６４は、相手先名と電話番号が対応付けて登録されている電話帳を記憶するとともに、予め記憶された音声信号を予め指定された送信相手に対して指定日時に自動的に送信するために必要な種々の情報（例えば、「送信日付」、「送信時刻」、「録音内容」、「あて先の電話番号」、「送信相手」、「接続結果」、「接続回数」等）が対応付けられたデータベースを記憶している。なお、データベースに登録されている内容は、ユーザの指示、「接続結果」、「接続回数」などにより適宜更新される。タイマ２６５は、現在の日付と時刻を正確に計測するととともに、必要に応じて現在の日付と時刻を各部に供給する。
【００５４】
スケジュール管理部２６６は、ユーザにより入力されたスケジュール情報が記述されたスケジューラを管理するとともに、タイマ２６５により計測されている日付および時刻と、記憶部２６４の記憶されているデータベースに登録されている「送信日付」および「送信時刻」を常時比較し、記憶部２６４に予め記憶されている音声信号を送信するための指示等を必要に応じて主制御部２５０に出す。また主制御部２５０は、ユーザの指示に基づいて、スケジュール管理部２６４により管理されているスケジューラを液晶ディスプレイ２１８に表示させるようにＬＣＤ制御部２５５を制御する。
【００５５】
次に、図５のフローチャートを参照して、カメラ付ディジタル携帯電話機ＭＳにおける音声信号記憶処理について説明する。
【００５６】
ステップＳ１において、主制御部２５０は、ユーザからの操作キー２１９またはジョグダイヤル２２２の操作により、スケジュール管理部２６６に管理されているスケジューラ（スケジュール管理用のグラフィカルユーザインタフェース）を表示するとの指示がされたか否かを判定する。ステップＳ１においてスケジューラを表示するとの指示がされていないと判定された場合、主制御部２５０は処理を終了する。具体的には他の処理が実行される。
【００５７】
ステップＳ１においてスケジューラを表示するとの指示がされたと判定された場合、ステップＳ２において主制御部２５０は、スケジュール管理処理を実行する。
【００５８】
図６のフローチャートを参照して、スケジュール管理処理について説明する。ステップＳ２１において、主制御部２５０は、スケジュール管理部２６６に管理されているスケジューラを読み出し、液晶ディスプレイ２１８に表示させるようにＬＣＤ制御部２５５を制御する。ステップＳ２２において液晶ディスプレイ２１８は、ＬＣＤ制御部２５５の制御に基づいて、スケジュール管理部２６６から読み出されたスケジューラを表示する。
【００５９】
図７は、液晶ディスプレイ２１８に表示されるスケジューラ３０１（この例の場合、カレンダ）の表示例を示す。
【００６０】
スケジューラ３０１の表示画面上部には、現在の年月が表示されるとともに、表示画面中央部にはスケジュール機能をもつカレンダ３２１が表示される。例えば、今日が２００３年２月９日（火）であるとすると、図７に示されるように、９日の「日付」欄は、ハイライト表示される。これにより、ユーザは、今日が２００３年２月９日（火）であることが分かる。
【００６１】
ステップＳ２３において主制御部２５０は、ユーザからの操作キー２１９またはジョグダイヤル２２２の操作により、カレンダ３２１上の任意の「日付」欄に各種アイコンを登録するとの指示がされたか否かを判定する。ステップＳ２３においてカレンダ３２１上の任意の「日付」欄に各種アイコンを登録するとの指示がされたと判定された場合、ステップＳ２４で主制御部２５０は、スケジュール管理部２６６にカレンダ３２１上の「日付」欄に指定されたアイコンを登録させる。これにより、ユーザは、各種イベントを示すアイコンをカレンダ３２１上の任意の「日付」欄に入力することができる。
【００６２】
図７の例の場合、カレンダ３２１上の４日と１２日の「日付」欄には星の形状のアイコンが登録されており、カレンダ３２１上の４日の「日付」欄に登録されている星の形状のアイコンは、その日に会社で会議が行われたことを示しており、１２日の「日付」欄に記述されている星の形状のアイコンは、その日に会社で会議の予定があることを示している。従って、ユーザは、４日に会議がすでに行われたことや、１２日に会議が予定されていることを容易に把握することができる。
【００６３】
勿論、ユーザは、送信される音声信号の内容に対応付けて、各種イベントを示す各種アイコンをカレンダ３２１上の任意の「日付」欄に入力するようにしてもよい。これにより、ユーザは、カレンダ３２１上の任意の「日付」欄に表示される各種アイコンから、その日に送信される音声信号の内容を容易に把握することができる。
【００６４】
ステップＳ２３においてカレンダ３２１上の任意の「日付」欄に各種アイコンを登録するとの指示がされていないと判定された場合、ステップＳ２４の処理はスキップされる。
【００６５】
図５のフローチャートに戻り、ユーザからの操作キー２１９またはジョグダイヤル２２２の操作により、図示せぬマウスカーソルが画面中央部のカレンダ３２１の任意の「日付」欄、例えば、カレンダ３２１上の１１日の「日付」欄に位置されると、その「日付」欄はフォーカス状態となる。ユーザによりさらに操作キー２１９やジョグダイヤル２２２が本体２１３の内部方向に押圧されると（クリック操作されると）、ステップＳ３において、記憶部２６４は「２月１１日」の日付を、これからの処理により記憶される音声信号を送信する「送信日付」として記憶する。具体的には、図８に示されるように、記憶部２６４に記憶されるデータベース３５１の第２行目の「送信日付」欄に「２／１１」が登録される。因みに図８のデータベース３５１の第１行目の「送信日付」欄には、「２／３」が「送信日付」として登録されている。
【００６６】
このようにして、ユーザは、カレンダ３２１の任意の「日付」欄を選択し、さらに操作キー２１９やジョグダイヤル２２２を本体２１３の内部方向に押圧することにより、記憶部２６４に記憶されるデータベース３５１の「送信日付」欄に任意の「送信日付」を登録することができる。
【００６７】
「送信日付」の登録が完了したとき、主制御部２５０は、ステップＳ４でＬＣＤ制御部２５５を制御し、それまでのカレンダ３２１に代えて、例えば図９に示されるような送信時刻設定メッセージ３７１を液晶ディスプレイ２１８に表示させる。
【００６８】
図９の送信時刻設定メッセージ３７１は、メッセージ表示欄３９１の他、コマンドを表示するコマンド表示欄３９２とコマンド表示欄３９３を有する。
【００６９】
図９の例の場合、メッセージ表示欄３９１には、メッセージとして「送信時刻を設定しますか？」が表示される。これにより、ユーザは、記憶される音声信号を送信する「送信時刻」を設定することができることが分かる。
【００７０】
コマンド表示欄３９２とコマンド表示欄３９３は、それぞれ、「Ｙｅｓ」と「Ｎｏ」というコマンドのアイコンを表示している。ユーザは、操作キー２１９やジョグダイヤル２２２を操作することにより、コマンド表示欄３９３の「Ｎｏ」のアイコンを選択し、音声信号を送信する「送信時刻」の設定処理（以下、単に「送信時刻設定処理」という）をキャンセルすることができる。また、ユーザは、操作キー２１９やジョグダイヤル２２２を操作することにより、コマンド表示欄３９２の「Ｙｅｓ」のアイコンを選択し、送信時刻設定処理の開始を指令することができる。
【００７１】
ステップＳ５において、主制御部２５０は、図９の送信時刻設定メッセージ３７１に基づいて、ユーザからの操作キー２１９またはジョグダイヤル２２２の操作により「Ｙｅｓ」のアイコンが選択されたか否かを判定する。
【００７２】
すなわち、ユーザが操作キー２１９やジョグダイヤル２２２を操作することによりコマンド表示欄３９３の「Ｎｏ」のアイコンを選択した場合、ステップＳ５で主制御部２５０はユーザからの操作キー２１９またはジョグダイヤル２２２の操作により「Ｙｅｓ」のアイコンが選択されていないと判定する。この場合、送信時刻設定処理はキャンセルされる。このとき、液晶ディスプレイ２１８に図７のスケジューラ３０１が再び表示され、ユーザは、再びカレンダ３２１の任意の「日付」欄を選択し、記憶部２６４に記憶されるデータベース３５１の「送信日付」欄に任意の「送信日付」を追加することができる。なお、この場合、図８のデータベース３５１の第２行目の「送信日付」欄に「送信日付」として登録されている「２／１１」は削除される。
【００７３】
ユーザが操作キー２１９やジョグダイヤル２２２を操作することによりコマンド表示欄３９２の「Ｙｅｓ」のアイコンを選択した場合、ステップＳ５で主制御部２５０はユーザからの操作キー２１９またはジョグダイヤル２２２の操作により「Ｙｅｓ」のアイコンが選択されたと判定する。この場合、送信時刻設定処理の開始が指令される。このとき、主制御部２５０は、ステップＳ６でＬＣＤ制御部２５５を制御し、図１０に示されるように、「送信時刻」を入力するためのインタフェースとしての送信時刻設定ダイアログ４１１を液晶ディスプレイ２１８に表示させる。
【００７４】
図１０の送信時刻設定ダイアログ４１１は、「送信時刻」を入力する送信時刻入力欄４２１、およびコマンドを表示するコマンド表示欄４２２を有する。
【００７５】
ユーザは、操作キー２１９やジョグダイヤル２２２を操作することにより、送信時刻入力欄４２１に、音声信号を送信する「送信時刻」を入力することができる。図１０の例の場合、ユーザが送信時刻入力欄４２１に入力した「送信時刻」は「１２：００」である。これにより、ユーザは、音声信号を送信する「送信時刻」を任意に設定し、入力することができる。
【００７６】
また、コマンド表示欄４２２は、「登録」というコマンドのアイコンを表示している。ユーザは、コマンド表示欄４２２の「登録」のアイコンを選択することにより、「送信時刻」の登録を指示することができる。
【００７７】
ユーザがコマンド表示欄４２２の「登録」のアイコンを操作した場合、主制御部２５０はステップＳ７で「１２：００」を「送信時刻」として記憶部２６４に記憶させる。これにより、記憶部２６４に記憶されているデータベース３５１は、図１１に示されるように更新される。具体的には、図１１のデータベース３５１の第２行目の「送信時刻」欄に「送信時刻」として「１２：００」が登録される。因みに図１１のデータベース３５１の第１行目の「送信時刻」欄の例の場合、「２１：００」が「送信時刻」として登録されている。
【００７８】
「送信時刻」の登録が完了したとき、主制御部２５０は、ステップＳ８でＬＣＤ制御部２５５を制御し、送信時刻入力欄４１１に代えて、例えば図１２に示されるような音声信号録音メッセージ４５１を液晶ディスプレイ２１８に表示させる。
【００７９】
図１２の音声信号録音メッセージ４５１は、メッセージ表示欄４６１の他、コマンドを表示するコマンド表示欄４６２とコマンド表示欄４６３を有する。
【００８０】
図１２の例の場合、メッセージ表示欄４６１には、メッセージとして「音声を録音しますか？」が表示される。これにより、ユーザは、これ以降の処理により、送信する音声（音声信号）を録音させることができることが分かる。
【００８１】
コマンド表示欄４６２とコマンド表示欄４６３は、それぞれ、「Ｙｅｓ」と「Ｎｏ」というコマンドのアイコンを表示している。ユーザは、操作キー２１９やジョグダイヤル２２２を操作することにより、コマンド表示欄４６３の「Ｎｏ」のアイコンを選択し、送信する音声信号の録音処理（以下、単に「音声信号録音処理」という）をキャンセルすることができる。また、ユーザは、操作キー２１９やジョグダイヤル２２２を操作することにより、コマンド表示欄４６２の「Ｙｅｓ」のアイコンを選択し、音声信号録音処理の開始を指令することができる。
【００８２】
ステップＳ９において、主制御部２５０は、図１２の音声信号録音メッセージ４５１に基づいて、ユーザからの操作キー２１９またはジョグダイヤル２２２の操作により「Ｙｅｓ」のアイコンが選択されたか否かを判定する。
【００８３】
すなわち、ユーザが操作キー２１９やジョグダイヤル２２２を操作することによりコマンド表示欄４６３の「Ｎｏ」のアイコンを選択した場合、ステップＳ９において主制御部２５０は、ユーザからの操作キー２１９またはジョグダイヤル２２２の操作により「Ｙｅｓ」のアイコンが選択されていないと判定する。この場合、音声信号録音処理はキャンセルされ、液晶ディスプレイ２１８に図１０の送信時刻設定ダイアログ４１１が再び表示され、ユーザは、再び操作キー２１９やジョグダイヤル２２２により、送信時刻入力欄４２１に、音声信号を送信する「送信時刻」を入力することができる。なお、この場合、図１１のデータベース３５１の第２行目の「送信時刻」欄に「送信時刻」として登録されている「１２：００」は削除される。
【００８４】
ユーザが操作キー２１９やジョグダイヤル２２２を操作することによりコマンド表示欄４６２の「Ｙｅｓ」のアイコンを選択した場合、ステップＳ９において主制御部２５０は、ユーザからの操作キー２１９またはジョグダイヤル２２２の操作により「Ｙｅｓ」のアイコンが選択されたと判定する。この場合、音声信号録音処理の開始が指令される。このとき、ステップＳ１０において主制御部２５０は、ＬＣＤ制御部２５５を制御し、図１３に示されるように、音声信号を録音するためのインタフェースとしての音声信号録音ダイアログ４７１を液晶ディスプレイ２１８に表示させる。
【００８５】
図１３の音声信号録音ダイアログ４７１は、音声信号の録音を開始するためのコマンドを表示するコマンド表示欄４８１を有する。
【００８６】
コマンド表示欄４８１は、「録音開始」というコマンドのアイコンを表示している。従って、ユーザは、コマンド表示欄４８１の「録音開始」のアイコンを選択することにより、音声信号の録音の開始を指示することができる。
【００８７】
ユーザがコマンド表示欄４２２の「登録」のアイコンを操作した場合、主制御部２５０はステップＳ１１で、ユーザから発せられた音声を所定の時間マイクロフォン２２１に集音させ、音声コーデック２５９にマイクロフォン２２１で集音した音声信号（すなわち、ユーザから発せられた音声）をディジタル音声信号に変換、圧縮させるとともに、記憶部２６４に記憶させる。
【００８８】
例えば、所定の時間内にユーザから発せられた音声が「今夜の飲み会は渋谷のいつものイタリアンレストランで行います。」であるとき、記憶部２６４に記憶されているデータベース３５１は、図１４に示されるように更新され、図１４のデータベース３５１の「録音内容」欄に「録音内容」として「今夜の飲み会は渋谷のいつものイタリアンレストランで行います。」が登録される。これにより、ユーザは、送信したい相手に送信するための任意の「録音内容」を入力することができる。因みに図１４のデータベース３５１の第１行目の「録音内容」欄の例の場合、「明日の会議の開始時刻は６時半に変更になりました。」という内容の音声信号が「録音内容」として登録されている。
【００８９】
音声の記憶処理の後、主制御部２５０は、ステップＳ１２でＬＣＤ制御部２５５を制御し、音声信号録音ダイアログ４７１に代えて、例えば図１５に示されるようなあて先入力メッセージ４９１を液晶ディスプレイ２１８に表示させる。
【００９０】
図１５のあて先入力メッセージ４９１は、メッセージ表示欄５０１の他、コマンドを表示するコマンド表示欄５０２とコマンド表示欄５０３を有する。
【００９１】
図１５の例の場合、メッセージ表示欄４９１には、メッセージとして「あて先の電話番号を入力しますか？」が表示される。これにより、ユーザは、これ以降の処理により、あて先の電話番号を入力することができることが分かる。
【００９２】
コマンド表示欄５０２とコマンド表示欄５０３は、それぞれ、「Ｙｅｓ」と「Ｎｏ」というコマンドのアイコンを表示している。ユーザは、操作キー２１９やジョグダイヤル２２２を操作することにより、コマンド表示欄５０３の「Ｎｏ」のアイコンを選択し、「あて先の電話番号」の入力処理（以下、単に「あて先入力処理」という）をキャンセルすることができる。また、ユーザは、操作キー２１９やジョグダイヤル２２２を操作することにより、コマンド表示欄５０２の「Ｙｅｓ」のアイコンを選択し、あて先入力処理の開始を指令することができる。
【００９３】
ステップＳ１３において、主制御部２５０は、図１５のあて先入力メッセージ４９１に基づいて、ユーザからの操作キー２１９またはジョグダイヤル２２２の操作により「Ｙｅｓ」のアイコンが選択されたか否かを判定する。
【００９４】
すなわち、ユーザが操作キー２１９やジョグダイヤル２２２を操作することによりコマンド表示欄５０３の「Ｎｏ」のアイコンを選択した場合、ステップＳ１３において主制御部２５０は、ユーザからの操作キー２１９またはジョグダイヤル２２２の操作により「Ｙｅｓ」のアイコンが選択されていないと判定する。この場合、あて先入力処理がキャンセルされる。具体的には、液晶ディスプレイ２１８に図１３の音声信号録音ダイアログ４７１が再び表示され、ユーザは、再び音声信号の録音の開始を指示することができる。なお、この場合、図１４のデータベース３５１の「録音内容」欄に「録音内容」として登録されている「今夜の飲み会は渋谷のいつものイタリアンレストランで行います。」は削除される。
【００９５】
ユーザが操作キー２１９やジョグダイヤル２２２を操作することによりコマンド表示欄５０２の「Ｙｅｓ」のアイコンを選択した場合、ステップＳ１３において主制御部２５０は「ユーザからの操作キー２１９またはジョグダイヤル２２２の操作により「Ｙｅｓ」のアイコンが選択されたと判定する。この場合、あて先入力処理の開始が指令される。このとき、ステップＳ１４において主制御部２５０は、ＬＣＤ制御部２５５を制御し、あて先入力メッセージ４９１に代えて、例えば図１６に示されるような、「あて先の電話番号」を入力するためのインタフェースとしてのあて先入力ダイアログ５１１を液晶ディスプレイ２１８に表示させる。
【００９６】
図１６のあて先入力ダイアログ５１１は、「あて先の電話番号」を入力する電話番号入力欄５２１、およびコマンドを表示するコマンド表示欄５２２を有する。
【００９７】
ユーザは、操作キー２１９やジョグダイヤル２２２を操作することにより、電話番号入力欄５２１に、音声信号を送信する「あて先の電話番号」を入力する。図１６の例の場合、ユーザが電話番号入力欄５２１に入力した電話番号は「０９０−５２５２−０９２３」である。これにより、ユーザは、音声信号を送信する「あて先の電話番号」を任意に設定し、入力することができる。
【００９８】
また、コマンド表示欄５２２は、「登録」というコマンドのアイコンを表示している。ユーザは、コマンド表示欄５２２の「登録」のアイコンを選択することにより、音声信号を送信する「あて先の電話番号」の登録を指示することができる。
【００９９】
ユーザがコマンド表示欄５２２の「登録」のアイコンを操作した場合、主制御部２５０は、ステップＳ１５で、「０９０−５２５２−０９２３」を「あて先の電話番号」として記憶部２６４に記憶させる。これにより、記憶部２６４に記憶されているデータベース３５１は、図１７に示されるように更新され、図１７のデータベース３５１の「あて先の電話番号」欄に「あて先の電話番号」として「０９０−５２５２−０９２３」が登録される。
【０１００】
このとき、「あて先の電話番号」として入力した電話番号が記憶部２６４に記憶されている電話帳に相手先名とともにすでに登録されている場合、「あて先の電話番号」として入力した電話番号に対応する相手先名を自動的に登録するようにしてもよい。図１７の例の場合、記憶部２６４に記憶されているデータベース３５１の第２行目の「送信相手」欄に、「あて先の電話番号」として入力した電話番号（図１７の例の場合、「０９０−５２５２−０９２３」）に対応する相手先名として、「後藤次郎」が自動的に登録される。
【０１０１】
また、「あて先の電話番号」として入力した電話番号が記憶部２６４に記憶されている電話帳にまだ登録されていない場合、「あて先の電話番号」として入力した電話番号に対応する「送信相手」をユーザに入力させ、記憶部２６４に記憶されているデータベース３５１に記憶するとともに、記憶部２６４に記憶されている電話帳に入力された「送信相手」を相手先名としてその電話番号と対応付けて電話帳に登録するようにしてもよい。
【０１０２】
なお、勿論、カメラ付ディジタル携帯電話機ＭＳ以外の固定式電話端末の電話番号をデータベースに「あて先の電話番号」として登録することも可能である。これにより、カメラ付ディジタル携帯電話機ＭＳだけでなく、一般の家庭に設置されている固定式電話端末にも予め記憶された音声信号を指定日時に送信することができる。
【０１０３】
因みに図１７のデータベース３５１の第１行目の「あて先の電話番号」欄には、例えば、「０９０−２３４５−６６９２」、「０９０−７５２３−９１８２」、および「０３−３８２２−５４１３」が「あて先の電話番号」として登録されており、それに対応する「送信相手」欄には、例えば、「青木一郎」、「前田太郎」、および「木下愛」が「送信相手」として登録されている。
【０１０４】
音声信号を送信する「あて先の電話番号」の登録が１回完了したとき（図１７の例の場合、「０９０−５２５２−０９２３」の登録が完了したとき）、主制御部２５０は、ステップＳ１６でＬＣＤ制御部２５５を制御し、あて先入力ダイアログ５１１に代えて、例えば図１８に示されるような、他のあて先入力メッセージを液晶ディスプレイ２１８に表示させる。
【０１０５】
図１８の他のあて先入力メッセージ５５１は、メッセージ表示欄５６１、およびコマンドを表示するコマンド表示欄５６２とコマンド表示欄５６３を有する。
【０１０６】
図１８の例の場合、メッセージ表示欄５５１には、メッセージとして「他のあて先の電話番号を入力しますか？」が表示される。これにより、ユーザは、これ以降の処理により、他のあて先の電話番号をさらに入力することができることが分かる。
【０１０７】
コマンド表示欄５６２とコマンド表示欄５６３は、それぞれ、「Ｙｅｓ」と「Ｎｏ」というコマンドのアイコンを表示している。ユーザは、操作キー２１９やジョグダイヤル２２２を操作することにより、コマンド表示欄５６３の「Ｎｏ」のコマンドのアイコンを選択し、他の「あて先の電話番号」の入力処理（以下、単に「他のあて先入力処理」という）をキャンセルすることができる。また、ユーザは、操作キー２１９やジョグダイヤル２２２を操作することにより、コマンド表示欄５６２の「Ｙｅｓ」のアイコンを選択し、他のあて先入力処理の開始を指令することができる。
【０１０８】
ステップＳ１７において、主制御部２５０は、図１８の他のあて先入力メッセージ５５１に基づいて、ユーザからの操作キー２１９またはジョグダイヤル２２２の操作により他の「あて先の電話番号」を入力するとの指示がされたか否かを判定する。
【０１０９】
ユーザが操作キー２１９やジョグダイヤル２２２を操作することによりコマンド表示欄５６２の「Ｙｅｓ」のアイコンを選択した場合、ステップＳ１７で主制御部２５０は、ユーザにより他の「あて先の電話番号」を入力するとの指示がされたと判定する。この場合、他のあて先入力処理の開始が指令される。このとき、処理はステップＳ１５に戻り、上述したあて先入力処理が同様に繰り返される。
【０１１０】
図１９の例の場合、すでに図１９のデータベース３５１の「あて先の電話番号」欄に「あて先の電話番号」としてすでに登録されている「０９０−５２５２−０９２３」の他に、「０９０−３３５１−７７８２」、「０９０−４４９３−３１１３」、および「０３−３７１１−２２０１」がさらに「あて先の電話番号」として登録され、それに対応する「送信相手」として「佐藤大介」、「大田三郎」、および「吉本良子」が「送信相手」欄に登録されている。従って、データベース３５１に登録された「今夜の飲み会は渋谷のいつものイタリアンレストランで行います。」という「録音内容」の音声信号を、指定された「送信時刻」（図１９の例の場合、「２／１１」の「１２：００」）から順次４人（図１９の例の場合、「後藤次郎」、「佐藤大介」、「大田三郎」、および「吉本良子」）に送信することができる。これにより、ユーザは、予め記憶された音声信号を１人の送信相手だけでなく、複数の送信相手に送信することができる。
【０１１１】
すなわち、ユーザが操作キー２１９やジョグダイヤル２２２を操作することによりコマンド表示欄５６３の「Ｎｏ」のアイコンを選択した場合、ステップＳ１７で主制御部２５０は、ユーザにより他の「あて先の電話番号」を入力するとの指示がされていないと判定する。この場合、他のあて先入力処理がキャンセルされ、音声信号記憶処理は終了される。
【０１１２】
次に、図２０のフローチャートを参照して、カメラ付ディジタル携帯電話機ＭＳにおける音声信号自動送信処理について説明する。この処理は、カメラ付ディジタル携帯電話機ＭＳの電源がオンにされているとき実施される。
【０１１３】
ステップＳ４１において、主制御部２５０は、記憶部２６４に、記憶されているデータベース３５１の現在日と同一の送信日付の行（図２１の例の場合、第２行目）の「接続回数」の値を表す変数Ｎに、初期値として「０」を設定するとともに、データベース３５１の「接続結果」欄に、まだ接続が開始されていないということを示す「なし」を登録させる。
【０１１４】
図２１の例の場合、データベース３５１の第２行目の各「送信相手」（図２１の例の場合、「後藤次郎」、「佐藤大介」、「大田三郎」、および「吉本良子」）に対応する「接続回数」欄には、「接続回数」としてそれぞれ「０」が登録されるとともに、データベース３５１の各「送信相手」に対応する「接続結果」欄には、「接続結果」としてそれぞれ「なし」が登録される。
【０１１５】
ステップＳ４２において、スケジュール管理部２６６は、タイマ２６５により計測されている現在の日付と時刻と、記憶部２６４に記憶されているデータベース３５１に登録されている、音声信号を送信する「送信日付」および「送信時刻」を比較し、現在の日付と時刻がデータベース３５１に登録されている「送信日付」および「送信時刻」であるか否かを判定する。ステップＳ４２において現在の日付と時刻がデータベース３５１に登録されている「送信日付」および「送信時刻」ではないと判定された場合、スケジュール管理部２６６はステップＳ４２で、登録されている日付と時刻になるまで待機する。
【０１１６】
ステップＳ４２において現在の日付と時刻がデータベース３５１に登録されている「送信日付」および「送信時刻」であると判定された場合、ステップＳ４３でスケジュール管理部２６６は、主制御部２５０に、データベース３５１の第２行目の「送信相手」欄に最初に登録されている「送信相手」（図２１の例の場合、「後藤次郎」）、すなわち、データベース３５１の第２行目の「あて先の電話番号」欄に最初に登録されている「あて先の電話番号」（図２１の例の場合、「０９０−５２５２−０９２３」）に接続するように指示を出す。主制御部２５０は、スケジュール管理部２６６の接続指示に基づいて、変復調回路部２５８に回線を接続させるとともに、記憶部２６４に記憶されているデータベース３５１の第２行目の「あて先の電話番号」欄に最初に登録されている「あて先の電話番号」を読み出し、その「あて先の電話番号」に接続を開始させる。
【０１１７】
ステップＳ４４において、主制御部２５０は、接続が開始された「あて先の電話番号」に接続されたか否かを判定する。ステップＳ４４において接続が開始された「あて先の電話番号」に接続されたと判定された場合、ステップＳ４５で主制御部２５０は、記憶部２６４に記憶されているデータベース３５１の第２行目の「録音内容」欄に登録されている「録音内容」の音声信号（図２１の例の場合、「今夜の飲み会は渋谷のいつものイタリアンレストランで行います。」）を読み出し、変復調回路部２５８に供給する。変復調回路部２５８は、記憶部２６４から供給された音声信号をスペクトラム拡散処理し、送受信回路部２６２に供給する。送受信回路部２６２は、変復調回路部２５８から供給された音声信号にディジタルアナログ変換処理及び周波数変換処理を施した後にアンテナ２１４を介して送信する。
【０１１８】
従って、電子メールの連絡においては相手が電子メールを受信したとしてもそれを読むまでその相手に連絡を伝えることができないのに比べ、確実に相手に必要な連絡を自動的に伝えることができる。
【０１１９】
なお、「送信相手」のカメラ付ディジタル携帯電話機や固定式電話端末が、留守番電話機能を有している場合には、音声信号をメモリに記憶させるようにしてもよい。
【０１２０】
ステップＳ４６において、主制御部２５０は、変復調回路部２５８に回線を切断するように指示を出す。変復調回路部２５８は、主制御部２５０の指示に基づいて、回線を切断する。これにより、予め記憶された音声信号（録音内容）を予め指定された指定日時に自動的に送信した後、自動的に回線を切断することができる。
【０１２１】
ステップＳ４４において接続が開始された「あて先の電話番号」に接続されなかったと判定された場合、ステップＳ４５とステップＳ４６の処理はスキップされる。ステップＳ４７において主制御部２５０は、変数Ｎの値を１だけインクリメントさせるとともに、その変数Ｎの値を記憶部２６４のデータベース３５１の第２行目の「接続回数」欄に登録させる。また、ステップＳ４８で主制御部２５０は、記憶部２６４に、データベース３５１の第２行目の「接続結果」欄に登録されている「なし」を、すでに接続されたことを示す「着」またはまだ接続されていないことを示す「不着」に更新させる。
【０１２２】
すなわち、ステップＳ４４において接続が開始された「あて先の電話番号」に接続されたと判定された場合、図２１のデータベース３５１の第２行目の「接続結果」欄に登録されている「なし」は、ステップＳ４８で、すでに接続されたことを示す「着」に更新され、ステップＳ４４において接続が開始された「あて先の電話番号」に接続されなかったと判定された場合、図２１のデータベース３５１の第２行目の「接続結果」欄に登録されている「なし」は、ステップＳ４８で、まだ接続されていないことを示す「不着」に更新される。
【０１２３】
なお、以下に用いる「接続結果」欄に登録されている「着」または「不着」は、それぞれ、すでに接続されたこと、またはまだ接続されていないことを示すものとする。
【０１２４】
図２２の例の場合、記憶部２６４に記憶されているデータベース３５１の第２行目の「接続回数」欄の「接続回数」が１だけインクリメントされるとともに、第２行目の「接続結果」欄に登録されている「なし」が「着」に更新されている。すなわち、図２２のデータベース３５１の第２行目は、「送信相手」である「後藤次郎」に対する回線の接続が１回試行された結果、「後藤次郎」に接続され、録音された音声信号が送信されたことを示している。
【０１２５】
ステップＳ４９において、主制御部２５０は、記憶部２６４に記憶されているデータベース３５１の第２行目の「送信相手」欄に登録されている他の「送信相手」（図２２の例の場合、「佐藤大介」、「大田三郎」、および「吉本良子」）があるか否か、すなわち、データベース３５１の第２行目の「あて先の電話番号」欄に登録されている他の「あて先の電話番号」（図２２の例の場合、「０９０−３３５１−７７８２」、「０９０−４４９３−３１１３」、および「０３−３７１１−２２０１」）があるか否かを判定する。
【０１２６】
ステップＳ４９においてデータベース３５１に登録されている他の「あて先の電話番号」があると判定された場合、処理はステップＳ４３に戻り、他の送信先に関し、同様の音声自動送信処理が繰り返される。
【０１２７】
図２３の例の場合、記憶部２６４に記憶されているデータベース３５１の第２行目の各「送信相手」（図２３の例の場合、「後藤次郎」、「佐藤大介」、「大田三郎」、および「吉本良子」）に対応する「接続回数」欄には、いずれも「１」が登録されており、データベース３５１の第２行目の「接続結果」欄には、それぞれ、「着」、「着」、「不着」、および「不着」が登録されている。すなわち、図２３のデータベース３５１の第２行目は、「送信相手」である「後藤次郎」、「佐藤大介」、「太田三郎」、および「吉本良子」に対する回線の接続がそれぞれ１回ずつ試行された結果、「後藤次郎」と「佐藤大介」には接続され、予め記憶された音声信号が送信されたが、「太田三郎」と「吉本良子」には接続されず、予め記憶された音声信号が送信されなかったことを示している。
【０１２８】
ステップＳ４９においてデータベース３５１に登録されている他の「あて先の電話番号」はないと判定された場合（その時刻に送信すべきすべての相手方に送信されたと判定された場合）、ステップＳ５０で主制御部２５０は、記憶部２６４に記憶されているデータベース３５１を参照して、接続できなかった「あて先の電話番号」があるか否かを判定する。ステップＳ５０において接続できなかった「あて先の電話番号」はないと判定された場合、処理はステップＳ４１に戻り、それ以降の同様の処理が繰り返される。
【０１２９】
ステップＳ５０において接続できなかった「あて先の電話番号」があると判定された場合（図２３の例の場合、「０９０−４４９３−３１１３」と「０３−３７１１−２２０１」が接続できなかった「あて先の電話番号」として判定される）、ステップＳ５１で主制御部２５０は、タイマ２６５により計測される現在の日付と時刻に基づいて、接続できなかった「あて先の電話番号」に接続した「送信時刻」から、予め設定してあるから所定の時間が経過したか否かを判定する。ステップＳ５１において所定の時間が経過していないと判定された場合、主制御部２５０はステップＳ５１で所定の時間が経過するまで待機する。
【０１３０】
ステップＳ５１において所定の時間が経過したと判定された場合、処理はステップＳ４３に戻り、接続できなかった「あて先の電話番号」に対して再度同様の音声信号自動送信処理が繰り返される。
【０１３１】
図２３のデータベース３５１は、ステップＳ４３乃至Ｓ５１の処理により、例えば、図２４のデータベース３５１のように更新される。図２４の例の場合、データベース３５１の第２行目の「接続回数」欄には、それぞれ「１」、「１」、「３」、「５」が登録され、データベース３５１の第２行目の「接続結果」欄には、それぞれ、「着」、「着」、「着」、および「不着」が登録されている。すなわち、図２４のデータベース３５１は、図２３のデータベース３５１と比べ、接続されなかった「送信相手」である「太田三郎」と「吉本良子」にそれぞれ「２」回と「４」回ずつさらに接続が試行された結果、「太田三郎」には接続され、予め記憶された音声信号が送信されたが、「吉本良子」には接続されず、予め記憶された音声信号が送信されていないことを示している。
【０１３２】
従って、もし送信相手が不在であったり、電話に出られない場合であっても、所定の時間をおいて回線が接続されるまで繰り返し接続することができ、ユーザが連絡を伝えたい相手に確実に自動的に連絡することができる。これにより、操作性を改善することができる。
【０１３３】
また、記憶部２６４に記憶されているデータベース３５１に「送信相手」に対して接続した接続時刻など他の情報を登録するようにしてもよいし、データベース３５１に登録されている情報（例えば、「送信日付」、「送信時刻」、「録音内容」、「あて先の電話番号」、「送信相手」、「接続結果」、および「接続回数」など）をユーザの指示に基づいて液晶ディスプレイ２１８に表示させるようにしてもよい。これにより、ユーザは、「送信日付」、「送信時刻」、「録音内容」などを確認することができるだけでなく、予め記憶された音声信号が送信相手に現在どれくらい送信されているかを容易に確認することができる。
【０１３４】
また、本発明は、携帯電話機以外にも、ＰＤＡ、パーソナルコンピュータ、その他の情報処理装置にも適用することができる。
【０１３５】
上述した一連の処理は、上述した一連の処理を実行するプログラムをカメラ付ディジタル携帯電話機ＭＳや図２５に示されるようなパーソナルコンピュータにインストールすることにより実行させることもできる。
【０１３６】
図２５において、ＣＰＵ６０１は、ＲＯＭ６０２に記憶されているプログラム、または記憶部６０８からＲＡＭ６０３にロードされたプログラムに従って各種の処理を実行する。ＲＡＭ６０３にはまた、ＣＰＵ６０１が各種の処理を実行する上において必要なデータなども適宜記憶される。
【０１３７】
ＣＰＵ６０１、ＲＯＭ６０２、およびＲＡＭ６０３は、バス６０４を介して相互に接続されている。このバス６０４にはまた、入出力インタフェース６０５も接続されている。
【０１３８】
入出力インタフェース６０５には、キーボード、マウスなどよりなる入力部６０６、ＣＲＴ（ＣａｔｈｏｄｅＲａｙ  Ｔｕｂｅ）、ＬＣＤなどよりなるディスプレイ、並びにスピーカなどよりなる出力部６０７、ハードディスクなどより構成される記憶部６０８、モデム、ターミナルアダプタなどより構成される通信部６０９が接続されている。通信部６０９は、インターネット（図示せず）を含むネットワークを介しての通信処理を行う。
【０１３９】
入出力インタフェース６０５にはまた、必要に応じてドライブ６１０が接続され、磁気ディスク６２１、光ディスク６２２、光磁気ディスク６２３、或いは半導体メモリ６２４などが適宜装着され、それらから読み出されたコンピュータプログラムが、必要に応じて記憶部６０８にインストールされる。
【０１４０】
コンピュータにインストールされ、コンピュータによって実行可能な状態とされるプログラムを格納するプログラム格納媒体は、図２５に示されるように、磁気ディスク６２１（フロッピディスクを含む）、光ディスク６２２（ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）を含む）、光磁気ディスク６２３（ＭＤ（Ｍｉｎｉ−Ｄｉｓｋ）を含む）、もしくは半導体メモリ６２４などよりなるパッケージメディア、または、プログラムが一時的もしくは永続的に格納されるＲＯＭ６０２や、記憶部６０８を構成するハードディスクなどにより構成される。プログラム格納媒体へのプログラムの格納は、必要に応じてルータ、モデムなどのインタフェースを介して、ローカルエリアネットワーク、インターネット、ディジタル衛星放送といった、有線または無線の通信媒体を利用して行われる。
【０１４１】
なお、本明細書において、プログラム格納媒体に格納されるプログラムを記述するステップは、記載された順序に沿って時系列的に行われる処理はもちろん、必ずしも時系列的に処理されなくとも、並列的あるいは個別に実行される処理をも含むものである。
【０１４２】
【発明の効果】
以上のように、本発明によれば、予め音声信号を記憶することができる。また、その音声信号に対応付けて、音声信号を送信する送信相手や送信日時などを予め記憶することができる。さらに、その送信日時に送信相手に対して記憶されている音声信号を自動的に送信することができる。これにより、操作性を改善することができる。
【図面の簡単な説明】
【図１】本発明を適用したネットワークシステムの全体の構成を示す図である。
【図２】図１のカメラ付ディジタル携帯電話機の外観の構成を示す斜視図である。
【図３】図２のカメラ部を回動したときの表示部の構成を示す斜視図である。
【図４】図２のカメラ付ディジタル携帯電話機の構成を示すブロック図である。
【図５】図２のカメラ付ディジタル携帯電話機における音声信号記憶処理を説明するフローチャートである。
【図６】図５のステップＳ２のスケジュール管理処理を説明するフローチャートである。
【図７】液晶ディスプレイに表示されるスケジューラの表示例を示す図である。
【図８】記憶部に記憶されているデータベースの例を示す図である。
【図９】液晶ディスプレイに表示される送信時刻設定メッセージの表示例を示す図である。
【図１０】液晶ディスプレイに表示される送信時刻設定ダイアログの表示例を示す図である。
【図１１】記憶部に記憶されているデータベースの例を示す図である。
【図１２】液晶ディスプレイに表示される音声信号録音メッセージの表示例を示す図である。
【図１３】液晶ディスプレイに表示される音声信号億音ダイアログの表示例を示す図である。
【図１４】記憶部に記憶されているデータベースの例を示す図である。
【図１５】液晶ディスプレイに表示されるあて先入力メッセージの表示例を示す図である。
【図１６】液晶ディスプレイに表示されるあて先入力ダイアログの表示例を示す図である。
【図１７】記憶部に記憶されているデータベースの例を示す図である。
【図１８】液晶ディスプレイに表示される他のあて先入力メッセージの表示例を示す図である。
【図１９】記憶部に記憶されているデータベースの例を示す図である。
【図２０】図２のカメラ付ディジタル携帯電話機における音声信号自動送信処理を説明するフローチャートである。
【図２１】記憶部に記憶されているデータベースの例を示す図である。
【図２２】記憶部に記憶されているデータベースの例を示す図である。
【図２３】記憶部に記憶されているデータベースの例を示す図である。
【図２４】記憶部に記憶されているデータベースの例を示す図である。
【図２５】パーソナルコンピュータの構成例を示すブロック図である。
【符号の説明】
１  ネットワークシステム，  ＭＳ１乃至ＭＳ４  カメラ付ディジタル携帯電話機，  ＣＳ１乃至ＣＳ４  基地局，  ＩＮＷ  公衆回線網，  ２１４  アンテナ，  ２２３  メモリスティック，  ２５０  主制御部，  ２５１  電源回路部，  ２５２操作入力制御部，  ２５３  画像エンコーダ，  ２５４  カメラインタフェース，  ２５５  ＬＣＤ制御部，  ２５６  画像エンコーダ，  ２５７  多重分離部，  ２５８  変復調回路部，  ２５９  音声コーデック，  ２６０  メインバス，  ２６１  同期バス，  ２６２  送受信回路，  ２６３  記録再生部，  ２６４  記憶部，  ２６５  タイマ，  ２６６  スケジュール管理部
【図１】
2004242100.tif 000003
【図２】
2004242100.tif 000004
【図３】
2004242100.tif 000005
【図４】
2004242100.tif 000006
【図５】
2004242100.tif 000007
【図６】
2004242100.tif 000008
【図７】
2004242100.tif 000009
【図８】
2004242100.tif 000010
【図９】
2004242100.tif 000011
【図１０】
2004242100.tif 000012
【図１１】
2004242100.tif 000013
【図１２】
2004242100.tif 000014
【図１３】
2004242100.tif 000015
【図１４】
2004242100.tif 000016
【図１５】
2004242100.tif 000017
【図１６】
2004242100.tif 000018
【図１７】
2004242100.tif 000019
【図１８】
2004242100.tif 000020
【図１９】
2004242100.tif 000021
【図２０】
2004242100.tif 000022
【図２１】
2004242100.tif 000023
【図２２】
2004242100.tif 000024
【図２３】
2004242100.tif 000025
【図２４】
2004242100.tif 000026
【図２５】
2004242100.tif 000027